【手続補正書】
【提出日】平成17年9月16日(2005.9.16)
【手続補正１】
【補正対象書類名】明細書
【補正対象項目名】発明の名称
【補正方法】変更
【補正の内容】
【発明の名称】駆動回路、装置、及び電子機器
【手続補正２】
【補正対象書類名】明細書
【補正対象項目名】特許請求の範囲
【補正方法】変更
【補正の内容】
【特許請求の範囲】
【請求項１】電流駆動素子を駆動するための駆動回路であって、
前記駆動回路は、
前記電流駆動素子に供給される駆動電流の電流値を制御する駆動トランジスタと、
前記プログラミングステージ中に、前記駆動トランジスタを通過するプログラム電流が通過する第１の電流経路を生じさせる第１のスイッチ手段と、
リプロダクションステージ中に、前記前記駆動電流が流れる第２の電流経路を生じさせる第２のスイッチ手段とを有し、
前記第１のスイッチ手段及び前記第２のスイッチ手段は、それぞれ互いに独立した制御信号により制御されていること、
を特徴とする駆動回路。
【請求項２】請求項１に記載の駆動回路において、
前記プログラミングステージ中には、前記電流駆動素子を前記プログラミング電流が流れないこと、
を特徴とする駆動回路。
【請求項３】請求項１又は２に記載の駆動回路において、
前記プログラミングステージ中に前記駆動トランジスタをダイオードとして動作させるように接続された第３のスイッチ手段をさらに備えていること、
を特徴とする駆動回路。
【請求項４】請求項１又は２に記載の駆動回路において、
前記駆動トランジスタのゲートと前記駆動トランジスタのドレインとを短絡する第３のスイッチ手段をさらに備えていること、
を特徴とする駆動回路。
【請求項５】請求項１乃至４のいずれかに記載の駆動回路において、
前記第１のスイッチ手段は、前記プログラミングステージ中に前記駆動トランジスタが電流シンクへと導通するように接続されていること、
を特徴とする駆動回路。
【請求項６】請求項１乃至５のいずれかに記載の駆動回路において、
前記電流駆動素子はエレクトロルミネッセンス素子であること、
を特徴とする駆動回路。
【請求項７】請求項１乃至６のいずれかに記載の駆動回路において、
前記プログラミングステージ中に前記駆動トランジスタの動作電圧を蓄積するための容量素子をさらに備えていること、
を特徴とする駆動回路。
【請求項８】請求項１乃至７のいずれかに記載の駆動回路において、
前記第１のスイッチ手段及び前記第２のスイッチ手段は、それぞれトランジスタで構成されていること、
を特徴とする駆動回路。
【請求項９】請求項１乃至８のいずれかに記載の駆動回路を備えた装置。
【請求項１０】駆動回路と、
データ電流を供給するためのデータ線と、を含み、
前記駆動回路は、
電流駆動素子に供給される駆動電流の電流値を制御する駆動トランジスタと、
プログラミングステージ中に、前記駆動トランジスタを通過するプログラム電流が流れる第１の電流経路を生じさせる第１のスイッチ手段と、
リプロダクションステージ中に、前記駆動電流が流れる第２の電流経路を生じさせる第２のスイッチ手段とを有し、
前記第１のスイッチ手段及び前記第２のスイッチ手段は、それぞれ互いに独立した制御信号により制御されていること、
を特徴とする装置。
【請求項１１】請求項１に記載の装置において、
前記駆動回路は、さらに  前記プログラミングステージ中に前記駆動トランジスタをダイオードとして動作させるように接続された第３のスイッチ手段をさらに備えていること、
を特徴とする装置。
【請求項１２】請求項１０又は１１に記載の装置において、
前記第１のスイッチ手段は、前記プログラミングステージ中に前記プログラム電流が前記電流駆動素子を流れないように接続されていること、
を特徴とする装置。
【請求項１３】請求項１０乃至１２のいずれかに記載の装置において、
前記プログラミングステージ中に、前記駆動トランジスタは前記データ線を介して電流シンクに接続されていること、
を特徴とする装置。
【請求項１４】請求項１０乃至１３のいずれかに記載の装置において、
前記駆動回路はさらに前記電流駆動素子を含み、
前記電流駆動素子はエレクトロルミネッセンス素子であること、
を特徴とする装置。
【請求項１５】請求項９乃至１４のいずれかに記載の装置を備えた電子機器。
【手続補正３】
【補正対象書類名】明細書
【補正対象項目名】０００９
【補正方法】変更
【補正の内容】
【０００９】
【課題を解決するための手段】
本発明に係る駆動回路は、電流駆動素子を駆動するための駆動回路であって、前記駆動回路は、前記電流駆動素子に供給される駆動電流の電流値を制御する駆動トランジスタと、前記プログラミングステージ中に、前記駆動トランジスタを通過するプログラム電流が通過する第１の電流経路を生じさせる第１のスイッチ手段と、リプロダクションステージ中に、前記前記駆動電流が流れる第２の電流経路を生じさせる第２のスイッチ手段とを有し、前記第１のスイッチ手段及び前記第２のスイッチ手段は、それぞれ互いに独立した制御信号により制御されていることを特徴とする。
上記の駆動回路において、前記プログラミングステージ中には、前記電流駆動素子を前記プログラミング電流が流れないことが好ましい。
上記の駆動回路において、前記プログラミングステージ中に前記駆動トランジスタをダイオードとして動作させるように接続された第３のスイッチ手段をさらに備えていることが好ましい。
上記の駆動回路において、前記駆動トランジスタのゲートと前記駆動トランジスタのドレインとを短絡する第３のスイッチ手段をさらに備えていることが好ましい。
上記の駆動回路において、前記第１のスイッチ手段は、前記プログラミングステージ中に前記駆動トランジスタが電流シンクへと導通するように接続されていることが好ましい。
上記の駆動回路において、前記電流駆動素子はエレクトロルミネッセンス素子であってもよい。
上記の駆動回路において、前記プログラミングステージ中に前記駆動トランジスタの動作電圧を蓄積するための容量素子をさらに備えていることが好ましい。
上記の駆動回路において前記第１のスイッチ手段及び前記第２のスイッチ手段は、それぞれトランジスタで構成されていることが好ましい。
上記の駆動回路を装置に組み込むことができる。
本発明に係る装置は、駆動回路と、データ電流を供給するためのデータ線と、を含み、前記駆動回路は、電流駆動素子に供給される駆動電流の電流値を制御する駆動トランジスタと、プログラミングステージ中に、前記駆動トランジスタを通過するプログラム電流が流れる第１の電流経路を生じさせる第１のスイッチ手段と、リプロダクションステージ中に、前記駆動電流が流れる第２の電流経路を生じさせる第２のスイッチ手段とを有し、前記第１のスイッチ手段及び前記第２のスイッチ手段は、それぞれ互いに独立した制御信号により制御されていることを特徴とする。
上記の装置において、前記駆動回路は、さらに  前記プログラミングステージ中に前記駆動トランジスタをダイオードとして動作させるように接続された第３のスイッチ手段をさらに備えていてもよい。
上記の装置において、前記第１のスイッチ手段は、前記プログラミングステージ中に前記プログラム電流が前記電流駆動素子を流れないように接続されていることが好ましい。
上記の装置において、前記プログラミングステージ中に、前記駆動トランジスタは前記データ線を介して電流シンクに接続されていてもよい。
上記の装置において、前記駆動回路はさらに前記電流駆動素子を含み、前記電流駆動素子はエレクトロルミネッセンス素子であってもよい。
上記の装置を電子機器に組み込むことができる。
本発明の第１の様態によれば、プログラミングステージ及びリプロダクションステージを有するステージにおいて動作する駆動回路であって、前記回路は、それぞれが前記回路を通過する複数の電流経路と、電流駆動素子と、前記素子に供給される電流の制御用に動作すべく接続されたトランジスタと、プログラミングステージ中に前記トランジスタの動作電圧を蓄積するために接続された容量素子と、前記電流経路を制御するスイッチ手段とを有し、この回路構成（the arrangement）では、前記電流経路の１つが前記素子を含まないこととする駆動回路が提供される。